(57)【要約】      （修正有）【課題】展開時のねじれが確実に排除されるステントを提供する。【解決手段】中空器官、特に血管、尿管、食道、結腸、十二指腸または胆管における経管的移植のためのステントに関して、ステントは、第１の断面直径を有する圧縮状態から拡大した第２の断面直径を有する拡張状態に変形することができる実質的な管状体を含む。ステントは管状体によって形成された境界要素２２によって画定された複数のセルを含む。ステントは、ステントの傾斜した端面を形成するために、いくつかのセルが残りのセルと比較してステントの長手方向に延長されている点で区別される。【選択図】図３
2020036965.tif 000002
【特許請求の範囲】
【請求項１】
ステント（１０）を製造する方法であって、
ａ）前記ステント（１０）が管状材料から切り出され、
ｂ）前記ステント（１０）がその拡張状態まで拡張され、
ｃ）前記ステント（１０）のセル（１８，１８ａ，１８ｂ）の形状が変化させられ前記拡張状態で固定されることを特徴とする方法。
【請求項２】
締結手段が取り付けられる前記拡張のためにコアが使用され、前記ステント（１０）のセル（１８，１８ａ，１８ｂ）の形状を変化させ前記拡張状態で固定することを特徴とする請求項１に記載の方法。
【請求項３】
前記締結手段は、前記コアの穴に導入される針またはマンドレルであることを特徴とする請求項１または２に記載の方法。
【請求項４】
ｄ）前記ステント（１０）の前記セル（１８，１８ａ，１８ｂ）の変化した形状は、加熱プロセスによって永久的に固定されていることを特徴とする請求項２または３に記載の方法。
【発明の詳細な説明】
【技術分野】
【０００１】
本発明は、中空器官、特に血管、尿管、食道、結腸、十二指腸または胆道に経管的に移植するためのステントに関し、第１の断面直径を有する圧縮状態から拡大した第２の断面直径を有する拡張状態に変形できる実質的な管状体を含み、該管状体によって形成された境界要素によって画定された複数のセルを含むステントに関する。
【背景技術】
【０００２】
このタイプのステントは、病的に変化した中空器官の再開通に使用される。この点に関して、ステントは、圧縮状態でデリバリカテーテルを介して治療されるべき中空器官内の位置に導入され、健康な中空器官の直径に対応する直径まで異なる大きさで拡張され、中空器官、例えば血管壁の保持効果が達成される。
【０００３】
かかるステントは、例えば、管状体の壁に複数のスリットのような開口部が切り込まれ、ステントの拡張時に複数の菱形の開口部が形成されるように製造され得る。該開口部と共にその境界要素はセルと呼ばれる。
【発明の概要】
【発明が解決しようとする課題】
【０００４】
ステントが中空器官の分岐部の近くに挿入される場合、全体として滑らかな外郭形状に形成された端部（chamfered end）すなわち面取り（チャンファ）端部を有するステントを使用することができる。かかるステントは、血管例えば静脈を、分岐までのすべての側面で例えば、さらなる静脈の開口部まで支持することを可能とする。
【０００５】
それらの保持効果を確実にするために、ステントは、血管壁によって及ぼされる半径方向の力の作用を打ち消すのに十分な半径方向の整列力を発揮できなければならない。半径方向の配置力が典型的にそこで減少するので、整列力は、特に面取り端部の領域において加わる。
【０００６】
従って、本発明の目的は、面取り領域に高い半径方向の配置力をも提供する最初の種類のステントであって、それによりステントの展開時のねじれが確実に排除されるステントを提供することにある。
【課題を解決するための手段】
【０００７】
本発明の目的は、請求項１の特徴を有する本発明のステントによって達成され、特に、いくつかのセルが残りのセルと比較して前記ステントの長手方向に細長い形態で延長されて、前記ステントの面取り前面端部が形成されることよって達成される。
【０００８】
面取り端部は、細長いセルにより形成され得る。この点で、長手方向に延びた細長いセルにより、面取り端部を形成するために追加のセルは必要とされない。細長いセルによって、他の管状体と同様に、面取り領域内のセルの同様の配置を選択することも可能になる。
【０００９】
細長いセルは、特に、ステントの剛性のあるリジッド部にのみ存在することができる。加えて、ステントは、例えば、可撓性のあるフレキシブル部および／または固定部を備える。細長いセルに関する以下の説明は、リジッド部に関する。
【００１０】
追加のセルの回避により、特に半径方向の高い配置力をもたらすことができるステントの構造が得られる。このようにして、例えば分岐部付近の血管を確実に支持することが可能となる。したがって、本発明によるステントは、分岐部の領域、例えば、総腸骨静脈の合流部における静脈閉塞の場合、総腸骨静脈の上部領域の下大静脈に挿入することができる。ステントは、この目的のために１２ｍｍ以上の直径を有することができる。ステントは、好ましくは１２ｍｍ〜１８ｍｍの直径を有することができる。
【００１１】
追加のセルによる分配は、面取り角度を可変に固定することをさらに可能にする。すなわち、この角度が細長いセルの相対的な伸長によって固定できるからである。
【００１２】
面取り領域は、分岐部後に血管内に実質的に突出することなく、全体的に中空器官を分岐部まで確実に支持することを可能にする。
【００１３】
セルは、１つまたは複数の接続部によって、１つまたは複数の他のセルに接続されることができる。セルの長さは、２つの接続部の間の長手方向の間隔として理解することができ、それぞれの接続部のそれぞれの中心を考慮する必要がある。セルは、前記切り込み部とそのそれぞれの境界要素とを含み、前記接続部は境界要素に属する。
【００１４】
本発明によるステントでは、複数の接続部を用いて少なくとも一部のセルをそれぞれ互いに接続されることができる。３つまたは４つのそれぞれの接続部は、特に、面取り領域および／または細長いセルに設けられてもよい。したがって、保持効果は、このようにして達成され得る半径方向の配置力のために特に高くなり得る。
【００１５】
ステントは、限界温度以上の貯蔵形状を採用した記憶金属から製造することができる。
【００１６】
本発明の好ましい実施形態は、説明、従属請求項および図面から理解することができる。
【００１７】
第１の有利な実施形態によれば、細長いセルの少なくともいくつかは、特に、長手方向と平行にまたは略平行に延びる直線または略直線に沿って配置される。これは、例えば、直線上に互いに並んだ少なくとも１つまたは２つのセルを設けることができることを意味する。２つを超えるセルでは、これらのセルの少なくとも１つの少なくとも２つの接続部は、２つのさらなるセルの延長セルに直接接続されることができる。細長いセルの２つのそれぞれの接続部は、特に直線上にある。
【００１８】
さらなる有利な実施形態によれば、細長いセルは、複数のグループ、特に９つのグループに分割可能であり、各グループのセルは、それぞれ直線または略直線に沿って配置され、これらの直線は、長手方向と平行または略平行である。全部で１２のグループのセルを提供することができ、９つのグループでは伸長したセルを有する。かかるグループの画定により、グループ間の中間スペースは、それ自体がセルを形成することができる。
【００１９】
したがって、セルの配置は、各セルが直線または略直線に沿って配置されるように選択することができる。さらに、セルは、これらの系統の１つに対して対称的に形成することができる。したがって、特に、他のセルに対して傾いているかまたは回転しているセルは存在しない。このようにして回転されたセルによる構造の弱化を回避することができる。
【００２０】
グループ内の全てのセルは、特に、各々は、長手方向に見て同じ長さ又は略同じ長さを有することができる。あるいは、異なる長さを有するセルをグループ内に設けることもできる。
【００２１】
異なるグループのセルによって形成される線は、好ましくは、互いに平行にまたは略平行に延びる。
【００２２】
それぞれ等しい量のセルは、さらに好ましくは、各グループにおいて、長手方向軸線に垂直に延在する断面平面から面取り前面端まで設けられる。半径方向の配置力は、ステントの長さにわたって実質的に一定であるグループ内においてそれぞれ等しい数のセルを設けることによって達成され得る。同じ数のセルを、好ましくは、ステントのリジッド部の各グループに設けることができる。
【００２３】
ステントのいわゆる平坦投影において認識され得るそれぞれの角度は、特に、同数のセルの使用時におけるセルの接続部によって形成され得る。角度は、周方向（すなわち、平坦投影の中の直線）と直線によって決定され、直線はセルの接続部を通って延びる。これは、それぞれのセルの少なくともいくつかの接続部が、平坦な投影内の直線上にあることを意味する。角度は、ステントの面取り端部に近づくほど大きくなり、好ましくは、４つ、５つ、または６つの角度が設定される。
【００２４】
セルの端部は、面取り端部自体の平坦投影において直線を形成することはできないが、正弦曲線に近似する曲線を画定することができる。平坦投影におけるかかる正弦曲線は、３次元ステントにおける正確に平面の切断表面を有する傾斜した開始カット（面取り領域）をもたらす。
【００２５】
セルは、第１の角度が２０°〜２４°の範囲にあり、第２の角度が３７°〜４４°の範囲にあり、第３の角度が４８°〜５２°の範囲にあり、第４の角度が６０°〜６４°の間の範囲内にあり、第５の角度が６３°〜６７°の間の範囲にあり、第６の角度が６９°〜７３°の間の範囲にあるように構成される。最も大きな角度は、特にステントの面取り端部に最も近くであり、最小の角度は、面取り端部から最も遠くにある。さらに、角度０°を設けることができる。これは、接続部が周方向に沿って配置される平坦投影にステントの位置が存在することを意味する。０°の角度は、リジッド部からフレキシブル部（硬質領域から柔軟領域）への変化時に提供することができる。グループのセルは、記載された角度を形成するために異なる長さであり得る。
【００２６】
かかる角度の選択により、特に長い耐久性を有する非常に安定なステントを製造できることが判明した。
【００２７】
さらなる有利な実施形態によれば、隣接するグループのセルの長さは、周方向において
最大から最小まで低下する。最大長さを有するセルは、特に、ステントの中心軸に関して最小の長さを有するセルに対向して配置される。かかる配置によって面取りを生成することができる。
【００２８】
セルの少なくともいくつかは、接続部によって互いに接続されることがさらに好ましく、細長いセル間の接続部、特に最長のセルの間のみが細長く形成される。最長のセルの開口部は、細長く伸ばされまたは拡大された接続部により短くすることができ、それによって、すべてのセルの均一な湾曲開口がステントの拡張時に達成され得る。かかる一様な湾曲開口は、半径方向の配置力の均一な分布と特に堅牢なステントとを順にたらすことができる。
【００２９】
少なくとも１つのマーカは、好ましくは、面取り端部から離れる長手方向に、特にアイレット（eyelet）すなわち針孔形態で延在することが好ましく、マーカは非対称形状を有する。マーカは、Ｘ線に対する不透過性が高められた、すなわちＸ線で特に容易に目に見えるステントの部分であり得る。マーカは、特に、例えば、タンタルで満たされているか、またはタンタルによって覆われているアイレットであり得る。マーカは、非対称形状のために面取り領域に取り付けることもできる。なぜなら、マーカは面取りから離れるように延在することができるからである。
【００３０】
換言すれば、マーカは、長手方向においてステントの最長と最短の間の領域に配置することができる。マーカは、Ｘ線で特に容易に認識されるように、非対称形状のために十分に大きく設計され得る。さらに、さらなるマーカを提供することができる。面取りの先端にある。さらに別のマーカは、例えば、ステントの最短点で面取り部に取り付けられてもよい。
【００３１】
さらなる有利な実施形態によれば、少なくとも２つの非対称マーカが面取り端部に設けられ、特にマーカはステントの軸線に対して互いに対向して配置される。従って、２つのマーカは、ステントの軸線と面取り部の先端とを通って延びるステントの平面に対して対称に配置され得る。非対称マーカは、例えば、かかる配置のためにＸ線において整列させることができる。その結果、ステントの位置はＸ線で特に容易に認識される。
【００３２】
さらなる有利な実施形態によれば、ステントは、リジッド部に隣接するフレキシブル部を含む。フレキシブル部は、面取り端部に対向して配置される。フレキシブル部は、リジッド部のセルよりも平坦投影においてより大きな面積を有するセルを有することができる。フレキシブル部は、より大きなセルに起因してより容易に曲げることができ、それによって、フレキシブル部は、簡単な方法で中空器官の程度の形状に適合させることができる。フレキシブル部のセルは、好ましくは歯状の境界を有することができる。
【００３３】
さらに別の有利な実施形態によれば、ステントは、フレキシブル部に隣接する固定部を含む。固定部のセルは、リジッド部のセルに対応することができ、例えば、菱形にすることができる。固定部は、菱形状のセルのために小さな柔軟性を有することができ、ステントを中空器官のその位置に固定することができる。固定部は、ステントの端部から離れて延びるマーカが取り付けられ得るステントの直線端部を形成することができる。マーカは、アイレットの形状を有することができ、同様に、例えば、タンタルで覆われているか、タンタルで満たされている。ステントは、ステントを中空器官内に導入する際に、固定部のマーカを用いてデリバリカテーテル内に固定することができる。
【００３４】
本発明はさらに、ステントを製造する方法に関連し、該方法は、
ａ）前記ステントが管状材料から切り出され、そして、
ｂ）前記ステントがその拡張状態まで拡張される。本発明の方法は、ｃ）ステントのセルの形状が変化させられ拡張状態で固定されることを特徴とする。
【００３５】
個々のセルは、個々のセルの均一な拡張挙動がセルの形状の変化によって達成されるように、それぞれ形状づけることができる。このようにして、拡張時の不均一な力分布のために典型的には非対称かつ過度に拡張する、面取り領域の近傍の短中型セルでは、破断の危険性を特に低減することができる。
【００３６】
例えば、鋭角は、菱形の各角部で４つまでの接続部を有する菱形のセルが７０°より小さく、好ましくは６０°より小さくなるように縮小または変更することができる。これは、構造上の均一な力散逸によって面取り領域の領域におけるより大きな外力にステントがよりよく耐え、ステントの崩壊またはステントの破損のリスクがかなり減少するという結果をもたらす。
【００３７】
さらに、この方法を用いることにより、セルの拡張をあまり大きくすることができないようにすることが可能であり、これにより、接続部への損傷を回避することができる。
【００３８】
有利な実施形態によれば、締結手段が取り付けられるコアは、コアを広げてステントのセルの形状を変化させ、固定するために使用される。したがって、個々のセルの拡張挙動は、締結手段によって適合させることができる。その結果、セルの形状は、純粋に円筒形のコアの使用時の拡張に対して変化する。かかる円筒形コアは、ステントの引っ張りを容易にする円錐形部分も含むことができる。さらに、拡張は熱を供給しながら起こることができる。
【００３９】
締結手段は、特に好ましくは、コアの穴に導入される針またはマンドレルである。針またはマンドレルは、例えば、内部からコアの外に移動することができ、または外部からコアに差し込むことができる。この目的のために、例えば、自動プロセスは、ロボットまたは油圧システムを用いて実施することができるが、セルの手動応用も実施することができる。
【００４０】
さらなる有利な実施形態によれば、ステントのセルの変化した形状は、加熱プロセスによって永続的に固定される。かかる固定は、特に、温度上昇時に加熱プロセスによって貯蔵された形状を採用する記憶金属の使用に特に有利である。恒久的固定とは、ステントが圧縮状態に暫定的に変化しても、セルの形状が拡張状態に維持された状態で、ステントの拡張状態におけるステントのセルの形状が固定されると理解されるべきである。ステントを体内に導入すると、ステントおよびそのセルは、体の熱により、製造プロセス中に教えられた形状を再びとることができる。
【００４１】
本発明は、有利な実施形態および添付の図面を参照して以下に説明される。
【図面の簡単な説明】
【００４２】
【図１】本発明によるステントを拡張状態で示す側面図である。
【図２】拡張状態の図１のステントを示す平面図である。
【図３】図１のステントを平面に投影した切断面図である。
【図４】接続部によって画定される角度の例示を伴う図３の切断面図である。
【発明を実施するための形態】
【００４３】
図１および図２は、ステント１０を示す。ステント１０は管状のデザインを有し、リジッド部１２と、リジッド部１２に隣接するフレキシブル部１４と、フレキシブル部１４に隣接する固定部１６とを有する。
【００４４】
リジッド部１２は、３つまたは４つの接続部２０を介して他の菱形状のセル１８にそれぞれ接続された菱形状の（閉じた）セル１８から形成されている。菱形状のセル１８は、金属から形作られたクモの巣状の境界要素２２によって画定される。
【００４５】
リジッド部１２は、中空器官の分岐部（図示せず）でステント１０を使用することを可能にする面取り領域２４を含む。
【００４６】
面取り領域２４は、ステント１０の端部を形成し、菱形セル１８のいくつかが長手方向Ｌに細長く形成されるように成されている。最も長い菱形セル１８は、図面において参照番号１８ａ最も短い菱形状のセル１８は参照番号１８ｂで示す。硬質部１２には、最短菱形状セル１８ｂと最長菱形状セル１８ａの３つが長手方向Ｌにそれぞれ設けられている。最長の菱形セル１８は、この点において、ステント１０の中心軸に関して短菱形セル１８ｂの反対側に配置されている。最長および最短の菱形セル１８ａ，１８ｂの３つのグループが互いに隣接して（即ち、周方向に隣接して）設けられている。
【００４７】
フレキシブル部１４には、鋸歯状または歯状の輪郭を有する開放セル２６が配置され、ステント１０の周方向において見て、より少ない開いたギザギザの歯形セル２５が菱形セル１８として設けられている。フレキシブル部は、より少数の開いた鋸歯状セル２６の使用のために、長手方向Ｌに関してより容易に変形可能であり、従って、血管等の長さに容易に適合することができる。
【００４８】
固定部１６は、固定部１６の剛性を高める菱形状のセル１８によって形成され、ステント１０は、中空の器官内でその位置を確実に維持される。
【００４９】
面取り領域２４と固定部によって形成されたステントの端部との両方に、（図１にそれぞれ３つが見えるが）４つのそれぞれのアイレット形状のマーカ２８は設けられている。面取り領域２４のすべての４つのマーカ２８は、図２において認識できる。
【００５０】
面取り領域２４のステント１０の最長および最短範囲の点に取り付けられた２つのマーカ２８は、対称的に形成される。ステント１０の平均長さがある面取り領域２４には、さらに２つのマーカ２８が取り付けられている。これらの２つのマーカ２８は非対称的なマーク２８ａとして形成され、非対称的なマーカ２８ａの領域は、ステントの最短範囲に向かって延びている。
【００５１】
図３は、図１および図２のステント１０のリジッド部１２を、いわゆる切断面図で示す。その結果、図３は、ステントの材料に導入された面内の切れ目の投影を示す。したがって、線は切れ目を示す。図１および図２に示す菱形セル１８を形成するために、ステント１０の拡張時に互いからオフセットして平行に延びる複数の直線切れ目を広げることができる。
【００５２】
白い領域として示され、線の間に存在する材料領域は、拡張後に接続部２０または境界要素２２となる。図３は、ステント１０のリジッド部１２のみを示す。
【００５３】
図３では、延長接続部２０ａが最も長い菱形セル１８ａの間に設けられ、ステントの拡張時に全ての菱形セル１８のより均一な湾曲開口を生成することが認められる。
【００５４】
図４は、周方向を有する接続部２０によって形成された入射角を有する図３の図を示す。６つの角度α１、α２、α３、α４、α５、α６が示され、これらは、約２２°（α１）の角度から約４０°（α２）、５０°（α３）、６２°（α４）および６５°（α６）の角度に亘って、約７１°（α６）の角度まで連続的に増加している。剛性領域１２から可撓性領域１４への変化部に配置された直線状の端部線３０は、接続部２０を通って周方向に延びており、したがって角度０°を画定する。
【符号の説明】
【００５５】
１０  ステント
１２  リジッド部
１４  フレキシブル部
１６  固定部
１８，１８ａ，１８ｂ  菱形セル
２０，２０ａ  接続部
２２  境界要素
２４  面取り領域
２６  開いた鋸歯状のセル
２８，２８ａ  マーカ
３０  端部線
Ｌ  長手方向
α  角度
【図１】
2020036965.tif 000003
【図２】
2020036965.tif 000004
【図３】
2020036965.tif 000005
【図４】
2020036965.tif 000006